(57)【要約】【課題】  顔領域を適正な明るさに補正するとともに、背景の階調を保持することが可能なカメラを提供することである。【解決手段】  画像データを撮像するための撮像手段と、上記画像データに対しガンマ補正を行うガンマ補正部と、上記画像データから顔領域を検出する、顔領域検出手段と、顔領域検出手段により検出された人物の顔領域を測光エリアとして測光する測光手段と、測光手段出力結果に基づいて目標露光量を算出し、目標露光量に基づく露出制御手段とを備えたカメラにおいて、目標露光量に応じた階調特性を決定するガンマ補正制御部と、ガンマ補正制御部が決定した階調特性に基づき、上記ガンマ補正部を制御するように構成した。【選択図】  図１
2010016664.tif 000002
【特許請求の範囲】
【請求項１】
入力された画像に対してガンマ補正を行うガンマ補正部を具備する撮像装置であって、
被写体に応じた画像データを入力するための撮像手段と、
入力された画像から、顔を検出する、顔検出手段と、
前記顔検出手段により検出された人物の顔を測光エリアとして測光する測光手段と、
前記測光手段の人物の顔の測光結果に基づいて目標露光量を算出し、当該算出した目標露光量に基づき露光制御値を算出する露光制御手段と、
目標露光量に応じて階調特性を決定する、ガンマ補正制御部と、
を備え、
前記ガンマ補正部は、前記ガンマ補正制御部が決定した階調特性を用いて、入力された画像に対してガンマ補正を行うこと、
を特徴とする撮像装置。
【請求項２】
請求項１において、
画像処理に必要なデータを格納したメモリを備え、前記メモリには設定可能な目標露光量判定値および露光制御閾値が格納されていること
を特徴とする撮像装置。
【請求項３】
請求項２において、
前記ガンマ補正制御手段は、前記目標露光量が前記目標露光判定値の範囲内である場合の階調特性と、目標露光判定値の範囲外である場合の階調特性と、を異ならせること、
を特徴とする撮像装置。
【請求項４】
請求項１において、
前記顔検出手段は、検出した該顔を含む顔領域の面積を算出する、顔領域面積算出手段を備えること、
を特徴とする撮像装置。
【請求項５】
請求項４において、
前記ガンマ補正制御手段は、前記顔領域面積算出手段によって算出された、顔領域の面積に応じた階調特性を設定すること、
を特徴とする撮像装置。
【請求項６】
被写体を撮像し、画像データを出力する撮像手段と、
前記撮像手段が出力する画像データから、特定の被写体を検出する検出手段と、
前記検出手段が検出した特定の被写体に対応する画像データを用いて、前記撮像手段に対し、所定の判定値で定められる範囲で露光制御する露光制御手段と、
前記撮像手段が出力する画像データに対してガンマ補正を行うガンマ補正手段と、
前記露光制御手段が前記判定値で露光制御する場合と、前記露光制御手段が前記範囲内で露光制御する場合とで、前記ガンマ補正手段が行うガンマ補正の階調特性を異ならせるように制御する制御手段と、
を備えることを特徴とする撮像装置。
【請求項７】
請求項６において、
前記検出手段は、前記特定の被写体に対応する画像データの前記画像データ全体に対する面積の割合を算出する特定被写体面積算出手段を備え、
前記制御手段は、前記露光制御手段が前記所定の判定値で露光制御する場合に、前記特定被写体面積算出手段が算出した面積の割合に応じて、前記ガンマ補正手段が行うガンマ補正の階調特性を異ならせるように制御すること、
を特徴とする撮像装置。
【発明の詳細な説明】
【技術分野】
【０００１】
本発明は、撮像装置に関する。
【背景技術】
【０００２】
本技術分野の背景技術として、特開２００7−１８０８９２号公報（特許文献１）がある。該公報には、「カメラは、顔検出回路と、ガンマ補正制御部と、画像信号処理回路を備える。顔検出回路は、入力された画像信号から、顔を検出し、検出した顔を含む顔領域における輝度変化評価値を算出する。ガンマ補正制御部は、顔検出回路が算出した輝度変化評価値に基づき、階調特性を決める。画像信号処理回路は、ガンマ補正制御部が決めた階調特性に基づき、入力された画像信号のガンマ補正を行う。」と記載されている。
【０００３】
【特許文献１】特開２００７−１８０８９２号公報
【発明の開示】
【発明が解決しようとする課題】
【０００４】
静止画・動画撮影用のデジタルカメラが普及してきており、誰でも簡単に良好な画像を得ることが可能になってきている。かかる画像の中で最も頻繁に撮影される被写体は、人物であるため、人物の顔を自動で認識し、カメラの設定を最適化するという、顔認識・最適化機能を搭載したカメラが増えている。
【０００５】
このようなカメラに搭載されている顔認識機能は、あらかじめカメラ内のメモリに格納したパターンと入力画像とを照合し、画面内で顔の存在する領域（以下「顔領域」と呼ぶ）を検出するものである。検出された顔領域にある情報としては、領域の位置、測光量、色、等があり、これらの情報を元に、検出された顔領域を撮影するときに適正な処理を自動で行う。ここで適正な処理としては次のようなものが例として挙げられる。顔領域が適正な明るさとなるよう処理を行う、顔領域を優先にして合焦する、顔領域が適正な色となるようホワイトバランスを調整する、肌色の発色が良くなるよう色信号の設定を変える、などである。
【０００６】
ここで、適正な処理の1番目に挙げた、顔領域を適正な明るさに自動で補正する技術は、ユーザーにとって必要度の高いものである。人物を撮影するときに、逆光状態など、背景と人物の輝度差が大きくなる状態がしばしば発生するが、このような場合には背景の明るさの影響を大きく受け、人物の明るさが適正なものにならないことがある。また、これを適正な明るさになるよう手動で補正することも考えられるが、手動で補正することは煩雑であり、一般的なユーザーには補正が困難であった。
【０００７】
これに対し、顔領域を適正な明るさに自動で補正する技術として、顔領域の測光結果に基づいて算出した目標露光量に応じて、露光制御（アイリス、シャッター、ＡＧＣ回路（自動利得回路）の適正な制御）を変化させる方法がある。しかし露光制御値は撮影画像全体の明るさを一律に変化させる値であるため、顔領域の明るさは適正になるが、背景の明るさは不適切となり、白トビや黒ツブレが発生する場合がある。
【０００８】
顔領域を適正な明るさに自動で補正し、かつ背景の白トビや黒ツブレを防止する技術として、顔領域の測光量に基づいて算出した目標露光量に応じてガンマ補正制御を変化させる方法がある。ガンマ補正制御とは撮影画像の階調特性を変化させる技術であり、これを適切に制御することによって顔領域の明るさと、背景の階調を両立させることができる。
【０００９】
顔認識機能によって検出された顔領域の情報に応じてガンマ補正制御により階調特性を変化させる技術として例えば「特許文献１」がある。「特許文献１」は、顔領域内の輝度差を算出し、これに応じた階調特性を適用することで、顔領域内に輝度差がある場合でも適正な明るさにすることが可能な技術である。しかしこの方法では顔領域の輝度差のみをガンマ補正制御の判定基準としているため、背景輝度の諧調の再現性はあまり考慮されていない。
【００１０】
以上述べたように、人物の撮影において、人物の顔の明るさと背景の階調を両立させるためには、顔領域の情報を元に露光制御とガンマ補正制御を適切に制御し、撮影画像に応じた露光制御値と階調特性を設定する必要がある。
【００１１】
従来の顔認識・最適化機能は、顔領域の輝度差のみをガンマ補正の判定基準としているため、背景輝度の諧調の再現性を考慮していなかった。
【００１２】
本発明の目的は、高画質な撮像装置を提供することである。例えば、顔領域を適正な明るさに補正するとともに、背景の階調を保持することが可能な撮像装置を提供することである。
【課題を解決するための手段】
【００１３】
上記目的を解決するために、特許請求の範囲に記載の構成を採用する。
【発明の効果】
【００１４】
本発明によれば、高画質な撮像装置を提供することが可能となる。例えば、露出制御値と階調特性を適切に設定することにより、顔領域の明るさを適正に補正しながら、背景の階調を保持することができる。また、例えば、顔領域の大きさによって階調特性を変化させることが可能なので、撮影シーンにより最適な階調特性を保持するカメラを提供することができる。
【００１５】
上記した以外の課題、構成および効果は、以下の実施形態の説明により明らかにされる。
【発明を実施するための最良の形態】
【００１６】
以下、本発明の実施形態を図面により説明する。
【実施例１】
【００１７】
図１は本発明によるカメラの一実施形態を示す構成図であって、１はカメラレンズ、２はアイリス、３は撮像素子、４はＡＧＣ回路（自動利得制御回路）、５はＡ／Ｄ変換回路、６は画像処理回路、７はガンマ補正部７、２２はガンマ補正制御部、８はエンコーダ、９はD/A変換回路、１０は顔検出部、１１は顔領域面積算出部、１２は露出制御部、１３は測光部、１４は目標露光算出部、１５はメモリ、１６は目標露光閾値、１７はＡＧＣ制御部、１８はアイリス制御部、１９はレンズ制御部、２０はシャッター制御部、２１はシャッター、である。
【００１８】
図１において、シャッター制御部２０はカメラのシャッター釦が押下されたときにシャッター２１を制御する。カメラレンズ１はフォーカスレンズやズームレンズからなるものであり、レンズ制御部１９によって制御される。アイリス２はアイリス制御部１８によって制御され、カメラレンズ１からの入射光量を調節する。撮像素子３は、ＣＭＯＳ撮像素子などであって、カメラレンズ１によって撮像面に結像した被写体像を光電変換してアナログ形態の撮像信号（アナログ撮像信号）を出力する。ＡＧＣ回路４はＡＧＣ制御部１７によって制御され、このアナログ撮像信号を所定の信号レベルに増幅する。Ａ／Ｄ変換回路５はＡＧＣ回路４で増幅されたアナログ撮像信号をデジタル形態の撮像信号（デジタル撮像信号）に変換する。画像処理回路６は、ガンマ補正部７、ガンマ補正制御部２２を備え、A／D変換回路５の出力であるデジタル撮像信号からデジタル輝度信号とデジタル色信号を生成し、ガンマ補正処理、エッジ強調処理、ノイズ低減処理、ホワイトバランスなどの各種の信号処理を行う。エンコーダ８は画像処理回路６から出力されたデジタル輝度信号とデジタル色信号とから、ＮＴＳＣ方式などの標準テレビジョン方式に準じたデジタルテレビジョン信号を生成する。デジタルテレビジョン信号は、不図示の記録再生回路によって、例えば、光ディスク（例えば、ＢＤ（Blu-ray Disc）、ＤＶＤ）やハードディスク（ＨＤＤ）や半導体メモリ（内蔵式／着脱式）などの記録媒体に記録され、また、再生される。Ｄ／Ａ変換回路９はこのデジタルテレビジョン信号をアナログ形態の標準テレビジョン信号に変換する。
【００１９】
顔検出部１０は撮像素子３の出力した画像信号に含まれている顔検出領域を次の手順で検出する。まず、顔検出部１０は画像処理回路６に入力された画像信号の中から肌色の領域を抽出する。次に先に抽出した領域に対して、輝度変化に基づき輪郭線抽出を行い、相対的に両目と口の位置となる配置に、両目と口が存在するかを確認する。両目と口が存在する場合は、該領域を囲む矩形の領域を顔領域として検出する。また、顔領域面積算出部１１は該顔領域の撮影画面に占める割合を次の式によって算出する。撮影時の撮像素子３の有効画素数をｄ１、顔領域に占める画素数をｄ２としたとき、顔領域面積ＳはＳ＝ｄ２／ｄ１となる。複数の顔領域を検出した場合、例えば、該複数の顔領域の総和を、顔領域に占める画素数ｄ２とする。
【００２０】
露出制御部１２は測光部１３と目標露光算出部１４を備え、測光部によって顔領域の画像信号に対して測光した測光結果に基づいて目標露光量を算出し、目標露光量に応じた露光制御値を決定した後、画像処理回路６に入力されるデジタル撮像信号が、該露光制御値に相当する値となるよう、ＡＧＣ制御部１７とアイリス制御部１８とシャッター制御部２０を制御する。
【００２１】
図３は顔領域の測光結果と目標露光量Iとの関係の一例を示す図である。目標露光量には目標露光判定値ｃ１、ｃ２が設定されている。詳細は後述する。
【００２２】
図４は目標露光量Iと露光制御値Rとの関係の一例を示す図である。目標露光量Iがｃ２より大きくｃ１より小さい場合は、露光制御値Rは目標露光量Iに応じて動的に変化する。目標露光量Iがｃ１以上の場合、露光制御値Rを露光制御最大値ｒ1に固定し、目標露光量Iがｃ２以下の場合は露光制御値Ｒを露光制御最小値ｒ２に固定する。
【００２３】
図５は目標露光量Iと階調特性を決定するために用いるガンマ係数Gの関係を示す図である。本発明では、目標露光量Ｉと階調特性とを関係づけるために、まず、目標露光量Ｉに対応するガンマ係数Ｇを算出し、このガンマ係数Ｇを基に階調特性を決定するようにしている。例えば、目標露光量Iがｃ２より大きくｃ１より小さい場合は、ガンマ係数Ｇを、顔検出部が顔領域を検出しない場合（以下、通常時と呼ぶ）と同じ値である、ｇ１に固定する。目標露光量Iがｃ１以上、又は、ｃ２以下の場合はガンマ係数Gを目標露光量Iと顔領域の面積に応じて動的に変化させている。
【００２４】
図６、図７はガンマ係数Gに応じた階調特性の一例を示している。図６はガンマ係数Gが通常時の係数ｇ１よりも大きい場合（図５に示したgaの領域）を示しており、ガンマ係数Gが大きくなるにつれてL3、L4、L5・・・のように、中間部の階調を広げるように、階調特性を変化させる。図７はガンマ係数Gが通常時の係数ｇ１より小さい場合（図５に示したgbの領域）を示しており、階調特性Gが小さくなるにつれてL3、L6、L7・・・のように、中間部の階調を狭めるように、階調特性を変化させている。
【００２５】
次に本発明による実施例の動作について説明する。
カメラレンズ１は被写体像を撮像素子３の撮像面に結像させる。そして、撮像素子３はこの被写体像の明るさに応じた光信号を電気信号へ光電変換することにより、アナログ撮像信号として、出力する。このアナログ撮像信号は、ＡＧＣ回路４で所定の信号レベルに増幅された後、Ａ／Ｄ変換回路５でデジタル撮像信号に変換されて画像処理回路６に供給される。
【００２６】
このとき画像処理回路６に入力されたデジタル撮像信号に対し、顔検出部１０が顔領域を検出すると、この顔領域が適正な明るさとなるように、図２に示す処理手順に従って処理を行う。まず、顔検出部１０により検出された顔領域に対する画像信号に対し、露出制御部１２に備えられた測光部１３により測光し、この測光結果に基づいて、目標露光算出部１４により目標露光量Ｉを算出する（Ｓ２）。この測光結果と目標露光量Ｉとの関係は、例えば、図３に示す特性を用いればよい。
【００２７】
ここで目標露光量Ｉが目標露光判定値ｃ１より小さく、目標露光判定値ｃ２より大きい場合は（Ｓ３）、露出制御部１２は目標露光量Ｉに基づき露光制御値Ｒを算出し、この露光制御値Ｒを用いて、アイリス制御部１８、シャッター制御部２０、ＡＧＣ回路制御部１７を制御する。一方、ガンマ補正制御部２２は、ガンマ係数としてｇ１をガンマ補正部７に設定する。このガンマ係数ｇ１は、通常時と同じ値であり、図５で示されるように固定値である。このガンマ係数ｇ１を用いて、ガンマ補正部７はデジタル撮像信号のガンマ補正処理を行う（Ｓ４）。これは顔領域の明るさの補正幅が少量で済む場合であり、このときは露光制御値によって撮影画像全体の明るさを一律に変化させても背景の階調がつぶれる可能性が低い。このためガンマ補正制御は通常と同じとし、露出制御値Rのみで明るさを補正することにより、背景の階調を適切なものにしながら、顔領域の明るさについても最適な設定にすることが可能になる。
【００２８】
次に目標露光量Ｉが目標露光判定値ｃ１より大きい場合は（Ｓ５）、露出制御部１２は露出制御値Rを露光制御最大値ｒ１に固定し、アイリス制御部１８、シャッター制御部２０、ＡＧＣ回路制御部１７に設定する。一方で、ガンマ補正制御部２２は、目標露光量Ｉと顔領域面積Ｓに応じた階調特性を設定し、ガンマ補正部７は該階調特性によってデジタル撮像信号のガンマ補正処理を行う（Ｓ６）。これは例えば被写体である人物が強い逆光状態で写り、顔領域の明るさを大幅に上げて補正する必要がある場合などであり、このとき露光制御値Rのみで補正すると背景が白トビする可能性がある。このため、露光制御値Rは背景が白トビを起こさない値（露光制御最大値ｒ１）に固定する。そしてガンマ補正制御により、階調特性を変化させることで露光制御では不十分な明るさの補正を行う。これにより顔の明るさを適正にしながら背景の階調を保持することが可能となる。
【００２９】
また、階調特性を設定する際に、次に示すように顔領域の面積に応じた制御を同時に行うことで、さらに、適切な階調特性を設定することができる。
【００３０】
まず顔領域面積Ｓが所定の閾値ｋよりも小さい場合は（Ｓ８）、ガンマ補正制御部２２は通常時の階調特性に近い、Ｌ３を設定する（Ｓ９）。これは人物が逆光状態で写り、かつ画面に占める背景の割合が比較的多い場合である。このときユーザーは背景の階調をより重視すると考えられるが、顔領域の明るさに合わせた階調特性を適用すると背景が白トビすることがある。これを防ぐため通常時に近い階調特性を適用する。
【００３１】
次に顔領域面積Ｓが閾値ｋよりも大きく、かつ所定の閾値ｍよりも小さい場合は（Ｓ１０）、ガンマ補正制御部２２は中間部の階調をやや広げたＬ４に設定する（Ｓ１１）。これは人物が逆光状態で写り、かつ画面に占める背景と人物の割合が半々の場合である。これは背景と人物のどちらの階調も残したい場面である。このときは前の場合よりも顔領域の明るさを重視した階調特性を適用し、顔領域がより明るく映るようにする。但し背景が白トビしないよう、階調を上げすぎないような設定とする。
【００３２】
最後に顔領域面積Ｓが所定の閾値ｍよりも大きな場合は（Ｓ１０）、ガンマ補正制御部２２は中間部の階調を大きく広げたＬ５に設定する（Ｓ１２）。これは人物が逆光状態で写り、かつ画面に占める人物の割合が比較的多い場合である。このときユーザーは人物の階調をより重視すると考えられるため、顔領域の明るさに合わせた階調特性を適用する。
【００３３】
次に目標露光量Ｉが所定の閾値ｃ２より小さい場合は（Ｓ５）、露出制御部１２は目標露光閾値ｃ２に基づき露出制御値を算出しアイリス制御部１８、シャッター制御部２０、ＡＧＣ回路制御部１７に設定する一方で、ガンマ補正制御部２２は、目標露光量Ｉと顔領域面積Ｓに応じた階調特性を設定し、ガンマ補正部７は該階調特性によってデジタル撮像信号のガンマ補正処理を行う（Ｓ１３）。これは例えば暗い背景の中で人物が強いスポットライトを浴びた状態で写っている場合などであり、顔領域の明るさを大幅に下げて補正する場合であり、このとき露出制御値Rのみで補正すると背景が黒つぶれする可能性がある。このため、露出制御値Rは背景が黒つぶれを起こさない値（露出制御最小値ｒ２）に固定する。そしてガンマ補正制御によって階調特性を変化することで露出制御で下げられなかった分の明るさを補う。これにより顔の明るさを適正にしながら背景の階調を保持することができる。また、階調特性を設定する際に、次に示すように顔領域の面積に応じた制御を同時に行うことでより適切な階調特性を設定することができる。
【００３４】
まず顔領域面積Ｓが所定の閾値ｋよりも小さい場合は（Ｓ１５）、ガンマ補正制御部２２は通常時の階調特性に近い、Ｌ３を設定する（Ｓ１６）。これは人物が暗い背景の中でスポットライトを浴びた状態で写っている場合である。このように画面に占める背景の割合が比較的多い場合は、ユーザーは背景の階調をより重視すると考えられるが、顔領域の明るさに合わせた階調特性を適用すると背景が黒つぶれすることがある。これを防ぐため通常時に近い階調特性を適用する。
【００３５】
次に顔領域面積Ｓが閾値ｋよりも大きく、所定の閾値ｍよりも小さい場合は（Ｓ１７）、ガンマ補正制御部２２は中間部の階調をやや狭めたＬ６に設定する（Ｓ１１）。これは人物が暗い背景の中でスポットライトを浴びた状態で写り、かつ画面に占める背景と人物の割合が半々の場合である。これは背景と人物のどちらの階調も残したい場面である。このときは前の場合よりも顔領域の階調を重視した階調特性を適用し、顔領域をより暗くして白トビを抑えるようにする。但し背景が黒ツブレしないよう、階調を下げすぎないような設定とする。
【００３６】
顔領域面積Ｓが所定の閾値ｍよりも大きな場合は（Ｓ１７）、ガンマ補正制御部２２は中間部の階調を大きく狭めたＬ７に設定する（Ｓ１２）。これは人物がスポットライトを浴びた状態で写り、かつ画面に占める人物の割合が比較的多い場合である。このときユーザーは人物の階調をより重視すると考えられるため、顔領域をより暗くして白トビを完全に抑えた階調特性とする。
【００３７】
なお、目標露光判定値ｃ１は画像処理回路６に入力されたデジタル撮像信号のうち、輝度が高い信号の階調がつぶれない程度を目処に予め設定されたものである。また目標露光判定値ｃ２は画像処理回路６に入力されたデジタル撮像信号のうち、輝度が低い信号の階調がつぶれない程度を目処に予め設定されたものである。これらの目標露光閾値ｃ１およびｃ２は、カメラ機器として製造段階で設定された値であるが、ユーザの好みにより手動で設定できるようにしてもよい。例えば、カメラが備える表示画面において、顔領域において露光制御する程度を選択させるようにしてもよい。顔領域において露光制御する程度を強くするよう選択された場合、目標露光判定値ｃ１を上げ、ｃ２を下げる。この場合、顔領域の測光結果に基づく目標露光量の広い範囲で動的に露光制御値が設定される。逆に、顔領域において露光制御する程度を弱くするよう選択された場合、目標露光判定値ｃ１を下げ、ｃ２を上げる。この場合、顔領域の測光結果に基づく目標露光量の狭い範囲で動的に露光制御値が設定される。
【００３８】
また、顔領域面積の判定に用いる所定の閾値ｋは顔領域の画面に占める割合が少なく、画面のほとんどを背景が占める場合の閾値であり、ｍは人物のバストショットを写したときを目安とした閾値である。これらの閾値ｋおよびｍは、カメラ機器として製造段階で設定された値であるが、ユーザの好みにより手動で設定できるようにしてもよい。例えば、カメラが備える表示画面において、顔領域面積の判定をする程度を選択させるようにしてもよい。顔領域面積の判定をする程度を強くするように選択された場合、閾値ｋおよびｍを小さくし、顔領域面積に応じた階調特性の変化を大きくする。逆に、顔領域面積の判定をする程度を弱くするように選択された場合、閾値ｋおよびｍを多くし、顔領域面積に応じた階調特性の変化を小さくする。
【００３９】
また、ガンマ制御部が制御する階調特性は輝度の階調特性のみならず、色の階調補正も含んでも良い。輝度の階調補正のみを変化させると、場面によっては色と輝度の構成比が変化し、撮影画像の色が薄くなる、あるいは濃くなる可能性がある。輝度と色の階調補正を同時に変化することで撮影画像の色を適切な色に保つことができる。
【００４０】
また、測光部が算出した測光結果や、ガンマ補正制御部２２が設定した階調特性に応じてノイズ除去処理、信号強調処理、色差信号処理などの各処理を適応的に変化させてもよい。階調特性が変化すると、ノイズの発生の仕方が異なる場合がある。階調特性の変化によって、ノイズが低減した場合には信号強調処理を強くかけ、ノイズが増加した場合にはノイズ除去処理を強くかける、など適応的に処理を行うことで、より高画質な画像が得られる。
【００４１】
また、上記実施例は顔を検出したが、上記実施例と同様の構成と動作により、顔以外の特定の被写体についても適用することが可能である。この場合、様々な特定被写体を検出する技術を用いることができ、その詳細の説明は省略する。
【００４２】
また、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の代替構成の追加・削除・置換をすることことが可能である。
【００４３】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【図面の簡単な説明】
【００４４】
【図１】本発明によるカメラの一実施形態を示すブロック構成図
【図２】背景の階調をつぶさずに顔領域を適正な明るさに補正する処理を説明する図
【図３】本発明の一実施形態における顔領域の測光結果に対する目標露光量を示す図
【図４】本発明の一実施形態における目標露光量に対する露光制御値を示す図
【図５】本発明の一実施形態における目標露光量に対するガンマ係数を示す図
【図６】本発明の一実施形態におけるガンマ係数が増加したときの階調特性の変化を表す図
【図７】本発明の一実施形態におけるガンマ係数が減少したときの階調特性の変化を表す図
【符号の説明】
【００４５】
１・・・カメラレンズ、２・・・アイリス、３・・・撮像素子、４・・・ＡＧＣ回路（自動利得制御回路）、５・・・Ａ／Ｄ変換回路、６・・・画像処理回路、７・・・ガンマ補正部、８・・・エンコーダ、９・・・Ｄ／Ａ変換回路、１０・・・顔検出部、１１・・・顔領域面積算出部、１２・・・露出制御部、１３・・・測光部、１４・・・目標露光算出部、１５・・・メモリ、１６・・・目標露光閾値、１７・・・ＡＧＣ制御部、１８・・・アイリス制御部、１９・・・レンズ制御部、２０・・・シャッター制御部、２１・・・シャッター、２２・・・ガンマ補正制御部
【図１】
2010016664.tif 000003
【図２】
2010016664.tif 000004
【図３】
2010016664.tif 000005
【図４】
2010016664.tif 000006
【図５】
2010016664.tif 000007
【図６】
2010016664.tif 000008
【図７】
2010016664.tif 000009